(57)【要約】【課題】自動閉鎖機構付きの引戸を閉じた場合に、ゆっくりと閉まる引戸を提供する。【解決手段】本発明にかかる内障子（引戸）３は、引戸自動閉鎖機構１３と、引戸減速機構１５とを内障子３に備え、引戸自動閉鎖機構１３は、内障子３が開くときに内障子３の開閉方向にスライダー１７が移動して蓄積したバネ１９の付勢力により内障子３を閉じ方向に移動するものであり、引戸減速機構１５は、内障子３が閉じるときに内障子の開閉方向に設けたラック１２とスライダー１７に設けたダンパギア２３ｂが係合して内障子３の閉じ速度を減速する。【選択図】図１
2020165281.tif 000002
【特許請求の範囲】
【請求項１】
引戸自動閉鎖機構と、引戸減速機構とを引戸に備え、引戸自動閉鎖機構は、引戸が開くときに引戸の開閉方向にスライダーが移動して蓄積したバネの付勢力により引戸を閉じ方向に移動するものであり、引戸減速機構は、引戸が閉じるときに引戸開閉方向に設けたラックとスライダーに設けたダンパギアが係合して引戸の閉じ速度を減速することを特徴とする引戸。
【発明の詳細な説明】
【技術分野】
【０００１】
本発明は、引戸に関する。
【背景技術】
【０００２】
クローザなど自動閉鎖機構付きの引戸を閉じた場合、引戸が勢いよく枠にぶつかるため、ゆっくりと閉まるものが求められていた。
【発明の概要】
【発明が解決しようとする課題】
【０００３】
そこで、本発明は、自動閉鎖機構付きの引戸を閉じた場合に、ゆっくりと閉まる引戸の提供を目的とする。
【課題を解決するための手段】
【０００４】
請求項１に記載の発明は、引戸自動閉鎖機構と、引戸減速機構とを引戸に備え、引戸自動閉鎖機構は、引戸が開くときに引戸の開閉方向にスライダーが移動して蓄積したバネの付勢力により引戸を閉じ方向に移動するものであり、引戸減速機構は、引戸が閉じるときに引戸開閉方向に設けたラックとスライダーに設けたダンパギアが係合して引戸の閉じ速度を減速することを特徴とする引戸である。
【発明の効果】
【０００５】
請求項１に記載の発明によれば、自動閉鎖機構付きの引戸を閉じた場合に、ゆっくりと閉めることができる。
【図面の簡単な説明】
【０００６】
【図１】本発明の実施の形態にかかる引戸であって、図７に示すＢ−Ｂ断面図である。
【図２】図１に示す引戸の開動作を説明する図であって、（ａ）は全閉状態、（ｂ）は半開状態、（ｃ）は全開状態の図である。
【図３】図１に示す引戸の閉動作を説明する図であって、（ａ）は全開状態、（ｂ）は半閉状態、（ｃ）は全閉状態の図である。
【図４】図１に示すスライダーを拡大して示す図であって、（ａ）は引戸の開動作中の状態、（ｂ）は閉動作中の状態である。
【図５】図１に示す引戸のバネの強度調整を説明する図であって、（ａ）は引戸の建込み前の状態、（ｂ）は建込み後の状態である。
【図６】図５（ｂ）に示す引戸のバネの強度調整を説明する図であって、（ａ）は閉じる力が弱い場合、（ｂ）は初期状態、（ｃ）は閉じる力が強い場合である。
【図７】本発明の実施の形態にかかる引戸を備える掃出し窓であって、図８に示すＡ−Ａ断面図である。
【図８】本発明の実施の形態にかかる引戸を備える掃出し窓の横断面図である。
【図９】図１１に示すストッパー装置の作用を説明する横断面図であって、（ａ）は内障子を開き動作中の状態であり、（ｂ）は内障子の停止状態、（ｃ）は内障子が閉じ動作中の状態である。
【図１０】ストッパー装置の縦断面図である。
【図１１】ストッパー装置を内障子に取り付けた状態を示す斜視図である。
【発明を実施するための形態】
【０００７】
以下に、添付図面を参照しつつ本発明の実施の形態を説明する。  
図７及び図８に示すように、本発明の実施の形態にかかる引戸は、掃出し窓１の内障子（引戸）３と外障子（引戸）５である。内障子３と外障子５は、枠７内を走行する引き違い障子である。  
図７に示すように、内障子（引戸）３及び外障子（引戸）５には、それぞれ上框３ａ、５ａ内に引戸自動閉鎖ユニット９が設けてある。  
以下に、引戸自動閉鎖ユニット９について説明するが、内障子（引戸）３と外障子（引戸）５に設けた引戸自動閉鎖ユニット９は障子（引戸）の開閉方向が異なるだけであり、同じ構成であるから、以下の説明では内障子（引戸）３に設けた引戸自動閉鎖ユニット９について説明する。
【０００８】
図１に示すように、引戸自動閉鎖ユニット９は、内障子３の上框３ａの長手方向に亘って設けてあり、ケース１１と、ケース１１内に収納した引戸自動閉鎖機構１３と、引戸減速機構１５と、ワイヤ１６と、スライダー移動量調整機構１８を備えている。  
ケース１１は、戸先側に設けたバネ係止部１０と、戸尻側に設けた固定滑車取付部１４と、長手方向に設けたラック１２とを備えている。  
固定滑車取付部１４には、大径固定滑車１４ａと、小径固定滑車１４ｂとが取り付けてある。  
ラック１２は、内障子３の閉側と開側とに段差を設けて連続する歯列１２ａ、１２ｂを有し、閉側（戸尻側）歯列１２ａの位置を、開側（戸先側）歯列１２ｂよりも上側にしてある。ラック１２は内障子３の戸先側にはなく戸尻側に設けてある。即ち、図２（ａ）に示すように、内障子３の全閉状態において、内障子３が開き始めるときのラックピニオン２７（後述する）の位置にはラック１２の歯列１２ａ、１２ｂはなく、図２（ｂ）（ｃ）に示すように、半開状態及び全開状態にあるときのラックピニオン２７の位置にラックピニオン２７と歯合する位置に歯列１２ａ、１２ｂが設けてある。
【０００９】
図１に示すように、引戸自動閉鎖機構１３は、バネ１９と、スライダー１７を備え、内障子３が開くときに内障子３の開閉方向にスライダー１７が移動して蓄積したバネ１９の付勢力により内障子（引戸）３を閉じ方向（戸先側）に移動するものである。  
バネ１９は、一端をケース１１のバネ係止部１０に係止してあり、他端をスライダー１７のバネ固定部２９（後述する）に固定してある。  
スライダー１７は、ケース１１の長手方向を移動自在であり、動滑車２１と、バネ固定部２９と、ロータリーダンパ２３と、可動ピニオン２５と、ラックピニオン２７を備えている。  
動滑車２１には、ワイヤ１６が巻かれている。ワイヤ１６は、一端１６ａを枠７に固定してあり、大径固定滑車１４ａ、動滑車２１、小径固定滑車１４ｂの順序で巻かれ、他端１６ｂをスライダー１７のワイヤ取付部１７ａに取り付けて固定してある。
【００１０】
ロータリーダンパ２３と、可動ピニオン２５と、ラックピニオン２７と、上述したラック１２は、引戸減速機構１５を構成しており、引戸減速機構１５は、内障子（引戸）３が閉じるときに内障子３の開閉方向に設けたラック１２とスライダー１７に設けたダンパギア２３ｂ（後述する）が係合して引戸の閉じ速度を減速するものである。  
ロータリーダンパ２３は、回転軸２３ａの軸の回転を制動するものであり、回転軸２３ａにはダンパギア２３ｂが取り付けてある。このロータリーダンパ２３は、回転軸２３ａがいずれの方向に回転しても制動するものが用いられている。
【００１１】
図４（ａ）（ｂ）に示すように、可動ピニオン２５は、スライダー１７に形成された案内溝３１をその一端部３１ａと他端部３１ｂとの間を移動自在に設けてある。図４（ａ）に示すように、可動ピニオン２５は一端部３１ａ側にあるときにはダンパギア２３ｂとの非係合位置にあり、図４（ｂ）に示すように、他端部３１ｂ側にあるときにはダンパギア２３ｂとの係合位置にある。  
可動ピニオン２５とダンパギア２３ｂとのギア比は、１：２としてある。  
ラックピニオン２７は、同軸に設けた大径歯車２７ａと小径歯車２７ｂを備えており、大径歯車２７ａはラック１２の閉側歯列１２ａ（図２（ｂ）参照）に歯合し、小径歯車２７ｂは開側歯列１２ｂ（図２（ｂ）参照）に歯合するものである。大径歯車２７ａと小径歯車２７ｂのギア比は、２：１である。大径歯車２７ａのギア比を小径歯車２７ｂに対して大きくすることで、制動力が増加する。
【００１２】
スライダー移動量調整機構１８は、固定滑車取付部１４と、スライダー１７と、バネ１９とワイヤ１６とで構成されている。スライダー移動量調整機構１８では、ワイヤ１６の一端１６ａを枠７に固定し、他端１６ｂをスライダー１７に固定していると共に、固定滑車取付部１４の固定滑車１４ａ、１４ｂ及びスライダー１７の動滑車２１に巻き付けた構成としてある。これにより、スライダー１７の移動量を内障子（引戸）３の移動量よりも小さくできる。
【００１３】
次に、内障子３の開閉操作を説明するが、まず、開き操作について説明する。  
図２（ａ）に示すように、内障子（引戸）３が全閉位置にあるときには、バネ１９は付勢力を放出して縮んだ状態になっている。一方、スライダー１７は固定滑車取付部１４との間が最も離れた位置にある。  
図２（ａ）に示す全閉状態から内障子３を開くと、スライダー１７は、ワイヤ１６に巻かれた動滑車２１と固定滑車１４ａ、１４ｂにより、戸尻側に移動し、バネ１９が伸びて付勢力を蓄積する。  
本実施の形態では、スライダー１７と固定滑車取付部１４との間にはワイヤ１６が３回架け渡されている（図１参照）ことになるので、バネ１９の伸び量は内障子の開移動量の１／３にすることができる。  
内障子３が開き始める位置には、ラックピニオン２７に歯合するラック１２がなく、ロータリーダンパ２３はラックピニオン２７と係合していない。
【００１４】
更に内障子３を開き方向に移動すると、ラックピニオン２７がラック１２に差しかかり、ラックピニオン２７の大径歯車２７ａが閉側歯列１２ａに歯合する。図４（ａ）に示すように、大径歯車２７ａが閉側歯列１２ａを開き側に移動しながら矢印ａ方向に回転すると、可動ピニオン２５は矢印ｂ方向に回転することでラックピニオン２７に押し上げられて、案内溝３１の一端部３１ａ側へ押し上げられる。これにより、可動ピニオン２５はダンパギア２３ｂと非係合状態になり、ロータリーダンパ２３は作用しない。  
図２（ｂ）に示すように、続いて、内障子３を開き方向に移動すると、ラックピニオン２７の小径歯車２７ｂが開側歯列１２ｂに歯合して移動し始める半開状態になるが、引き続き可動ピニオン２５はダンパギア２３ｂと非係合状態にあるから、ロータリーダンパ２３は作用しない。  
そして、内障子３を開き切ると、図２（ｃ）に示す全開状態になる。この全開位置では、バネ１９は最も伸び切った状態にあり、最も付勢力を蓄えた状態になる。
【００１５】
次に、内障子３の閉じ操作について説明する。  
図３（ａ）に示す内障子３の全開位置において、障子３から手を離すと、バネ１９の蓄積された付勢力により、スライダー１７が戸先側へ移動し、内障子３の閉じ動作が始まる。  
全開位置ではラックピニオン２７の小径歯車２７ｂが開側歯列１２ｂに歯合した状態にあり、図４（ｂ）に示すように、大径歯車２７ａが開き方向とは反対方向の矢印ｃ方向に回転する。これにより、可動ピニオン２５が大径歯車２７ａに押し下げられるように矢印ｄ方向に回転し、案内溝３１を他端部３１ｂに移動する。これにより、ラックピニオン２７の大径歯車２７ａが可動ピニオン２５を介して、ダンパギア２３ｂに歯合し、ロータリーダンパ２３が作用し、内障子（引戸）３はゆっくり閉じる。図３（ａ）の全開位置から図３（ｂ）に示す半開位置までは、開側歯列１２ｂに小径歯車２７ｂが歯合することで、可動ピニオン２５の回転数が大きくなってロータリーダンパ２３に作用するので、大きな付勢力のバネ１９に対して大きな制動力を付与する。例えば、図３（ａ）の全開位置から図３（ｂ）に示す半開位置までの障子閉速度は、本実施の形態では０．１５ｍ／secであった。
【００１６】
図３（ｂ）に示す半閉位置では、小径歯車２７ｂと開側歯列１２ｂの歯合状態が、大径歯車２７ａと閉側歯列１２ａの歯合状態に切り替わり、大径歯車２７ａと閉側歯列１２ａが歯合した状態で内障子（引戸）３が閉じ方向に移動する。この状態では、ロータリーダンパ２３が作用したまま、バネ１９が縮んで付勢力が全開位置よりも小さくなったところで、閉側歯列１２ａにラックピニオン２７の大径歯車２７ａが歯合するから、可動ピニオン２５の回転数が小さくなってロータリーダンパ２３に作用するので、小さな付勢力となったバネ１９に対して小さな制動力を付与する。例えば、図３（ｂ）の半開位置から大径歯車２７ａが閉側歯列１２ａの戸先側端まで歯合している間の障子閉速度は、本実施の形態では０．１８ｍ／secであった。
【００１７】
そして、図３（ｃ）に示すように、内障子３を閉じ切るときには、即ち、ラックピニオン２７の大径歯車２７ａが閉側歯列１２ａとの歯合が終了して、更に大径歯車２７ａが閉側歯列１２ａに歯合しない状態で、内障子３がバネ１９の付勢力のみで閉じ方向に移動する。この状態では、ラック１２の歯列がなく、ラックピニオン２７はラック１２とは歯合しない。したがって、全閉状態及びその手前では、ロータリーダンパ２３は作用しない。例えば、ラックピニオン２７の大径歯車２７ａが閉側歯列１２ａとの歯合が終了してから全閉位置（図３（ｃ）参照）までの障子閉速度は、本実施の形態では０．２０ｍ／secであった。
【００１８】
次に、内障子（引戸）３におけるバネ１９の付勢力の調整（スライダー移動量調整機構１８）について説明する。  
図５（ａ）に示すように、まず、引戸自動閉鎖ユニット９を設けた内障子３を枠７内に建て込むが、内障子３の建込みは、ワイヤ１６の一端１６ａを垂らした状態にして行う。  
次に、図５（ｂ）に示すように、ワイヤ１６の一端１６ａを引いて、ワイヤ１６をケース１１から引き出すようにして、バネ１９の付勢力を調節しつつ、適当な付勢力となる位置でワイヤ１６の一端１６ａを枠７にねじ３４で固定する。例えば、ワイヤ１６の一端１６ａの取り付け位置は、バネ１９の付勢力の調整との関係で、初期位置（ｂ）にしたり、初期位置（ｂ）よりもバネの付勢力を強くして閉力を強くする位置（ａ）にしたり、初期位置（ｂ）よりもバネの付勢力を弱くして閉力を弱くする位置（ｃ）にして調整する。
【００１９】
例えば、図６（ｂ）に示す初期位置（ｂ）から、バネ１９による閉じる力を強くしたい場合には、図６（ａ）に矢印ｍで示すように、ワイヤ１６を引っ張ってケース１１から出ているワイヤ１６の量を増やして、バネ１９を伸ばして位置（ａ）に固定する。これにより、バネ１９の強度が初期状態（図６（ｂ））よりも強くなり、障子（引戸）３の閉じる力を強くできる。
【００２０】
図６（ｂ）に示す初期状態から、バネ１９による閉じる力を弱くしたい場合には、図６（ｃ）に矢印ｎで示すように、ワイヤ１６をケース１１内に繰り出すことでケース１１から出ているワイヤ１６の量を減らし、バネ１９を縮めて位置（ｃ）に固定する。これにより、バネ１９の強度が初期状態（図６（ｂ））よりも弱くできる。  
このように、ケース１１から出ているワイヤ１６の量を変えることで、バネ１９による障子（引戸）３の閉じるときの力を調整できる。
【００２１】
次に、内障子３の開閉移動を停止にする開閉停止具３５について説明する。  
本実施の形態では、内障子３は、開いていく途中又は開き切った状態で手を離すと、バネ１９の付勢力により、スライダー１７が戸先側に移動してしまうので、開閉停止具３５は、内障子（引戸）３を任意の位置で停止するものである。  
図９（ａ）に示すように、開閉停止具３５は、外障子（他方の障子）５を押圧する押圧部材３７を内障子（一方の障子）に設けてあり、押圧部材３７は、一方又は他方の障子の開閉操作時は開閉方向に揺動するものであり、揺動した状態から手を離すと開閉方向において開閉方向と直交する方向に戻るものであり、ケース３９（図１１参照）と、回動軸４１と、ケース側マグネット４３と、押圧部材側マグネット４５を備えている。  
図１０及び図１１に示すように、開閉停止具３５は内障子３の召合せ框３ｂの上端部見込面にネジ４７で固定してあり、図９に示すように、押圧部材３７を回動軸４１に対して左右に回動自在に設けてある。  
押圧部材３７は、先端部３７ａが樹脂部材としてあり、先端部３７ａを外障子５の上框５ａ（図１０及び図１１参照）の室内側面に当接している。樹脂部材は例えばウレタン樹脂である。  
図１０に示すように、ケース側マグネット４３は、押圧部材３７の下方で、押圧部材３７に対向する位置でケース３９の下壁３９ａに固定されている。  
押圧部材側マグネット４５は、押圧部材３７内に埋め込んである。押圧部材側マグネット４５とケース側マグネット４３は、互いに引きあうように磁極を対向させて設けてある。  
尚、図１１には、開閉停止具３５のカバーを外した状態を示している。
【００２２】
開閉停止具３５の動作について説明する。  
図９（ａ）に矢印Ｅに示すように、内障子３を開操作しているときには、押圧部材３７の先端部３７ａは、内障子３の戸先側を向いて位置し、内障子３が止まらない程度に外障子５に接触しており、内障子３の開き動作を妨げない。この状態で、ケース側マグネット４３に対して押圧部材側マグネット４５は内障子３の戸先側にずれた状態にある。  
そして、内障子３の開き動作を止めて矢印Ｅと逆方向に少し戻すと、図９（ｂ）に示すように、ケース側マグネット４３と押圧部材側マグネット４５が互いに重なる位置になり、ケース側マグネット４３と押圧部材側マグネット４５が磁石の磁力により引かれてその位置が保持される。これにより、押圧部材３７の先端部３７ａは開閉方向に対して垂直に位置し、外障子５を押圧することで、外障子５に対して相対的に内障子３の移動が停止される。  
図９（ｃ）に矢印Ｆに示すように、内障子３を閉操作しているときには、押圧部材３７の先端部３７ａは、内障子３の戸尻側を向いて位置し、内障子３が止まらない程度に外障子５に接触しており、内障子３の閉じ動作を妨げない。この状態で、ケース側マグネット４３に対して押圧部材側マグネット４５は内障子３の戸尻側にずれた状態にある。  
そして、内障子３の閉じ動作を止めて、矢印Ｆと逆方向に少し戻すと、図９（ｂ）に示すように、ケース側マグネット４３と押圧部材側マグネット４５が互いに重なる位置になり、ケース側マグネット４３と押圧部材側マグネット４５が磁石の磁力により引かれてその位置が保持される。これにより、内障子３を開いているとき（図９（ａ）参照）と同様に、押圧部材３７の先端部３７ａが開閉方向に対して垂直に位置し、外障子５を押圧することで、外障子５に対して相対的に内障子３の移動が停止される。
【００２３】
次に、本実施の形態に係る内障子（引戸）３の作用効果について説明する。  
図３（ａ）に示す全開位置から内障子３を閉じるときには、内障子３から手を離すことで、スライダー１７がバネ１９の付勢力により戸先側に移動し、図４（ｂ）に示すように、ラック１２に歯合しているラックピニオン２７が可動ピニオン２５を押し下げ、可動ピニオン２５を他端側に移動してダンパギア２３ｂと歯合し、ロータリーダンパ２３に係合する。これにより、閉じ状態にある内障子３に制動力を付与するので、内障子３をゆっくり閉じることができる。
【００２４】
図２（ａ）に示すように、全閉位置から内障子（引戸）３を開くときには、ラックピニオン２７は、歯列１２ａ、１２ｂのいずれにも係合しない状態にあり、ロータリーダンパ２３が作用しないから、軽い力で内障子（引戸）３を開き始めることができる。  
また、内障子（引戸）３を開くときに、スライダー１７がラック１２のある位置に移動しても、図４（ａ）に示すように、ラックピニオン２７が歯列１２ａ、１２ｂにそれぞれ係合した状態では、ラックピニオン２７が可動ピニオン２５を押し上げて、ダンパギア２３ｂから外れる位置に移動するので、ラック１２とダンパギア２３ｂは係合が外れた状態を維持するから、これによってもロータリーダンパ２３が作用しないので、軽い力で内障子（引戸）３を開くことができる。  
図３（ａ）に示すように、内障子３が全開位置から閉じようとしているときに、開側歯列１２ｂに小径歯車２７ｂが歯合し、大きな回転数でロータリーダンパ２３に作用するから（図４（ｂ）参照）、大きな付勢力のバネ１９に対して大きな制動力を付与し、内障子３が所定位置まで閉じると、バネ１９が縮んで付勢力が全開付近よりも小さくなると、閉側歯列１２ａにラックピニオン２７の大径歯車２７ａが歯合するので、小さな回転数でロータリーダンパ２３に作用するから、小さな付勢力となったバネ１９に対して小さな制動力を付与するから、内障子３の移動量にかかわらず、ゆっくり閉じることができる。  
上述したように、図３（ａ）の全開位置から図３（ｂ）に示す半開位置までの障子閉速度は、０．１５ｍ／secであり、図３（ｂ）の半開位置から大径歯車２７ａが閉側歯列１２ａの戸先側端まで歯合している間の障子閉速度は、０．１８ｍ／secであり、ラックピニオン２７の大径歯車２７ａが閉側歯列１２ａとの歯合が終了してから全閉位置（図３（ｃ）参照）までの障子閉速度は、０．２０ｍ／secであったことから明らかなように、引戸減速機構がない場合の障子閉じ速度が０．５〜０．６ｍ／secであったので、本実施の形態では、引戸減速機構がない場合の障子閉じ速度の半分以下であるから、全開位置から全閉位置まで、略同一の速度でゆっくり閉じることができる。  
図５及び図６に示すように、スライダー１７の一端側にはバネ１９が取り付けてあり、スライダー１７の他端側にはワイヤ１６の一端が取り付けてあるから、ワイヤ１６のケース１１からの引き出し長さを調整することにより、バネ１９の伸び量を調整できるので、内障子３の閉じる力の調整が容易にできる。
【００２５】
図９（ａ）に示すように、開閉停止具３５は、内障子３の開動作中又は図９（ｃ）に示す内障子３の閉動作中に、動作方向と反対方向に内障子３を動かすことで、障子の動きを止め、図９（ｂ）に示すようにケース側マグネット４３と押圧部材側マグネット４５が磁石の磁力により引かれて重なる位置を保持するので、任意の位置で内障子３の開きを保持できる。
【００２６】
本願の第２の発明及び第３の発明について説明する。  
本願の第２の発明は、引戸自動閉鎖機構１３を引戸（内障子）３に備え、引戸自動閉鎖機構１３は、スライダー１７とバネ１９とスライダー移動量調整機構１８とを有し、引戸３が開くときに引戸３の開閉方向にスライダー１７が移動して蓄積したバネ１９の付勢力により引戸３を閉じる方向に移動するものであり、スライダー移動量調整機構１８は、引戸３の移動量よりもスライダー１７の移動量を小さくすることを特徴とする引戸３である。  
この第２の発明によれば、引戸自動閉鎖機構１３を引戸移動方向にコンパクトに収納可能である。
【００２７】
本願の第３の発明は、引戸減速機構１５を引戸（内障子）３に備え、引戸減速機構１５は、ラック１２とダンパギア２３ｂを有し、引戸３が閉じるときにラック１２とダンパギア２３ｂが係合して、引戸３の閉じ速度を蓄積したバネ１９の付勢力による閉じ速度よりも減速し且つ閉じ方向に向けて略一定の速度に調整することを特徴とする引戸である。  
この第３の発明によれば、バネ１９の付勢力にかかわらず、引戸３をゆっくり閉じることができる。
【００２８】
本発明は、上述した実施の形態に限らず、本発明の要旨を逸脱しない範囲で種々変形可能である。  
例えば、引戸３は掃出し窓の引き違い障子に限らず、室内の部屋を仕切る引戸であっても良い。
【符号の説明】
【００２９】
３    内障子（引戸）
５    外障子（引戸）
１３  引戸自動閉鎖機構
１５  引戸減速機構
１７  スライダー
１９  バネ
１２  ラック
２３  ロータリーダンパ（ダンパー）
２３ｂ  ダンパギア
【図１】
2020165281.tif 000003
【図２】
2020165281.tif 000004
【図３】
2020165281.tif 000005
【図４】
2020165281.tif 000006
【図５】
2020165281.tif 000007
【図６】
2020165281.tif 000008
【図７】
2020165281.tif 000009
【図８】
2020165281.tif 000010
【図９】
2020165281.tif 000011
【図１０】
2020165281.tif 000012
【図１１】
2020165281.tif 000013